(57)【要約】      （修正有）【課題】容易な操作でナイフ部へのカバーの掛け外しを行うことが可能な間接活線用先端工具を提供する。【解決手段】間接活線用先端工具１は、ナイフ部２０が形成された本体部２と、ナイフ部２０を覆うカバー部３と、を有して構成される。本体部２は、円筒状に形成されナイフ部２０を支持する支持部と、支持部の下端に形成され共用操作棒４の接続部４１と接続するジョイント部２２と、を有して構成される。カバー部３は、支持部の側面に形成された固定部によって支持部の周方向に回動可能に固定される。固定部は、支持部の側面から径方向の外側に向かって突設された突設部と、カバー部３の内周面に形成された凹部によって構成される。【選択図】図１
2018074695.tif 000002
【特許請求の範囲】
【請求項１】
ナイフ部が形成された本体部と、前記ナイフ部を覆うカバー部と、を有し、
前記本体部は、円筒状に形成され前記ナイフ部を支持する支持部と、前記支持部の下端に形成され共用操作棒の接続部と接続するジョイント部と、を有して構成され、
前記カバー部は、前記支持部の側面に形成された固定部によって前記支持部の周方向に回動可能に固定され、
前記固定部は、前記支持部の側面から径方向の外側に向かって突設された突設部と、前記カバー部の内周面に形成された凹部によって構成されることを特徴とする間接活線用先端工具。
【請求項２】
前記凹部は、前記ナイフ部の刃形成部及び峰部が設けられる前後方向の２箇所と、この前後方向に対して直角の方向に位置する左右方向の２箇所に形成され、
前記突設部は前記凹部に対応するように前記支持部の周方向の２箇所に形成されることを特徴とする請求項１に記載の間接活線用先端工具。
【請求項３】
前記凹部は、前記カバー部の内周面の全周に亘って形成されることを特徴とする請求項１及び２に記載の間接活線用先端工具。
【発明の詳細な説明】
【技術分野】
【０００１】
本発明は、カマ型ナイフの間接活線用先端工具に関し、特に、カマ型ナイフのナイフ部を覆うカバーを設けたものに関する。
【背景技術】
【０００２】
絶縁テープの剥ぎ取り等の間接活線作業は、カマ型ナイフの間接活線用先端工具を共用操作棒に取り付けて行われている。
このカマ型ナイフの間接活線用先端工具は、鋭利なナイフ部を備えており、ナイフ部にカバーを掛けずに作業や持ち運びが行われるため安全性が問題視されている。
【０００３】
そこで、カマ型ナイフの未使用時にはナイフ部を間接活線用先端工具の筒体部（カバー）に収容するものがあり、一例としては、カバーを共用操作棒の軸方向にスライドさせることによりナイフを収容する先端工具が開示されている（特許文献１参照）。
【０００４】
この先端工具のカバーは、カバーの内側に設けられた係合突起を、先端工具の側面に設けられた溝部に係合させることによりロックされ、不意にカバーが外れて作業者が怪我をしないように設計されている。
【先行技術文献】
【特許文献】
【０００５】
【特許文献１】特開２０１５−０５７０２５号公報
【発明の概要】
【発明が解決しようとする課題】
【０００６】
しかしながら、特許文献１の先端工具では、ナイフ部を突出させるためには、カバーの係合を解除し、下方にカバーをスライドさせてナイフ部を突出させ、改めてカバーを係合固定しなければならないため、作業が煩雑な問題がある。
【０００７】
そこで、本発明は係る事情に鑑みてなされたものであり、容易な操作でナイフ部へのカバーの掛け外しを行うことが可能な間接活線用先端工具を提供することを主たる課題としている。
【課題を解決するための手段】
【０００８】
上記課題を達成するために、本発明に係る間接活線用先端工具は、ナイフ部が形成された本体部と、前記ナイフ部を覆うカバー部と、を有し、前記本体部は、円筒状に形成され前記ナイフ部を支持する支持部と、前記支持部の下端に形成され共用操作棒の接続部と接続するジョイント部と、を有して構成され、前記カバー部は、前記支持部の側面に形成された固定部によって前記支持部の周方向に回動可能に固定され、前記固定部は、前記支持部の側面から径方向の外側に向かって突設された突設部と、前記カバー部の内周面に形成された凹部によって構成されることを特徴としている。
【０００９】
したがって、カバー部を支持部の外周に沿って回動させるだけで、カバー部をナイフ部に掛けたり外したりすることができる。このため、作業者の怪我の防止を図りつつ、使用時には素早くナイフ部を露出させることが可能となり、作業の効率化を図ることができる。
【００１０】
また、凹部は、ナイフ部の刃形成部及び峰部が設けられる前後方向の２箇所と、この前後方向に対して直角の方向に位置する左右方向の２箇所に形成され、突設部は凹部に対応するように支持部の周方向の２箇所に形成されるようにしてもよい。
さらに、凹部は、カバー部の内周面の全周に亘って形成されるようにしてもよい。
【００１１】
このように突設部と凹部を構成することにより、刃形成部に対して９０°の位置にカバー部を配置することが可能になり、さらに、カバー部を所望の角度に配置することが可能となる。
また、凹部がカバー部の内周面の全周に亘って形成されることにより、電線にカバー部を押し付けるだけで、カバー部の配置を変更することも可能となる。
【発明の効果】
【００１２】
以上述べたように、本発明に係る間接活線用先端工具によれば、カバー部をナイフ部に容易に掛けたり外したりすることができるため、作業の効率化を図ることができる。
【００１３】
また、突設部が周方向の２箇所に形成され、かつ、凹部がナイフ部の刃形成部及び峰部が設けられる前後方向の２箇所と、この前後方向に対して直角に位置する左右方向の２箇所に形成されることにより、刃形成部に対して９０°の位置にカバー部を配置することが可能になり、カバー部が作業の邪魔になることを防ぐことができる。
【００１４】
さらに、凹部は、カバー部の内周面の全周に亘って形成されることにより、カバー部を所望の角度に配置することができ、多様な障害物に対して対応することが可能となる。また、電線にカバー部を押し付けることによりカバー部の配置を変更することも可能となり、作業時間の短縮を図ることができる。
【図面の簡単な説明】
【００１５】
【図１】図１は、本間接活線用先端工具の全体構成を示す正面図であり、（ａ）は、本体部をカバー部に収容させた状態を示す図であり、（ｂ）は、本体部を露出させた状態を示す図である。
【図２】図２は、本間接活線用先端工具の分解斜視図であり、（ａ）は、本体部の斜視図であり、（ｂ）は、カバー部の斜視図である。
【図３】図３は、図１の拡大断面図であり、（ａ）は、図１（ａ）のＡ−Ａ線断面図であり、（ｂ）は、図１（ｂ）のＢ−Ｂ線断面図である。
【発明を実施するための形態】
【００１６】
以下、本発明に係る間接活線用先端工具について、図面を参照しながら説明する。
図１において、間接活線用先端工具１は、ナイフ部２０が形成された本体部２と、ナイフ部２０を覆うカバー部３と、を有して構成されている。
【００１７】
本体部２は、図２（ａ）にも示すように、ナイフ部２０と、ナイフ部２０を支持する支持部２１と、支持部２１の下端に形成され共用操作棒４の接続部４１と接続するジョイント部２２と、を有して構成されている。
【００１８】
ナイフ部２０は、波型に形成された刃形成部２０ａと、この刃形成部２０ａの反対側（裏側）に形成された峰部２０ｂとを有して構成されている。
【００１９】
支持部２１は、図２及び図３にも示すように、円筒状に形成されたもので、軸方向の中心にナイフ部２０の刀身が固定されている。また、側面には、支持部２１の周方向の２箇所において径方向の外側に向かって突設された突設部２３が設けられている。
【００２０】
２つの突設部２３は、後述する凹部３３に対応するように、中心を挟んだ対称となる位置に形成され、基端部２３ａと、基端部２３ａの先端に設けられたコイルバネ２３ｂと、このコイルバネ２３ｂの先端に設けられた先端部２３ｃと、から構成されている。
コイルバネ２３ｂは、常時突設方向に付勢されており、先端部２３ｃが常にカバー部３の内側（凹部３３）と圧接されるように設けられている。
【００２１】
ジョイント部２２は、中空の筒状に形成され、外周面の一部に略Ｔ字状に切欠いて形成された切欠き部２２ａが中心を挟んだ対称となる位置に２箇所設けられている。
したがって、この切欠き部２２ａに共用操作棒４の先端に形成された接続部４１を挿入し、係合させることにより共用操作棒４と接続される。
【００２２】
カバー部３は、図２（ｂ）にも示すように、ナイフ部２０の刃形成部２０ａ及び峰部２０ｂを覆う被覆部３１と、この被覆部３１を支持する台座部３２と、を有して構成されている。
【００２３】
被覆部３１は、絶縁性の樹脂等の部材でナイフ部２０を覆うことが可能にコ字状の板に形成され、幅が４ｍｍ程度、高さが２０ｃｍ程度に形成されている。
また、被覆部３１の内側（刃形成部２０ａ及び峰部２０ｂに対峙する面）は内側が肉薄になるように内部に向かって湾曲して形成されている。
なお、被覆部３１は、樹脂部材に限られず、鉄線等の任意の金属で構成するようにしてもよい。
【００２４】
台座部３２は、中空の円筒状に形成されたもので、上面の中心を挟んだ対象となる位置に被覆部３１の両基端部が固定されている。
また、台座部３２の内周面には、上面と底面の略中間において、径方向の外側に向かって形成された凹部３３が設けられている。
【００２５】
この凹部３３は、少なくとも、ナイフ部２０の刃形成部２０ａ及び峰部２０ｂが設けられる前後方向の２箇所と、この前後方向に対して直角に位置する左右方向の２箇所に形成されており、本実施例においては、全周に亘って複数（１０ヶ所以上）の凹部３３が形成されている。
【００２６】
この凹部３３は、ギアのように凸面に向かって幅が狭くなるようにテーパー状に形成されており、各凸面の間隔は、少なくとも、突設部２３の先端部２３ｃよりも広く形成されている。
【００２７】
したがって、カバー部３は、支持部２１の突設部２３と、台座部３２の凹部３３と、から構成される固定部５によって、支持部２１の外周面に沿って周方向に回動可能に固定されている。
【００２８】
具体的には、突設部２３の先端部２３ｃを任意の台座部３２の凹部３３に嵌合させることにより、カバー部３が本体部２の支持部２１に固定される。
また、各凹部３３がテーパー状に形成されているため、カバー部３の台座部３２を回動させると、先端部２３ｃがこのテーパーに沿って移動し、隣接する凹部３３に再び嵌合することになる。この操作を繰り返すことにより、カバー部３は、支持部２１の外周面に沿って回動可能に形成されている。
【００２９】
したがって、カバー部３を本体部２に掛けるときは、台座部３２を支持部２１の外周面に沿って周方向に回動させることにより、刃形成部２０ａに対して正面に位置するようにカバー部３を配置することで、カバー部３が固定部５により固定されナイフ部２０を被覆することになる。
【００３０】
同様に、カバー部３を外す際には、所望の位置まで台座部３２を刃形成部２０ａが露出するように支持部２１の外周面に沿ってカバー部３を回動させるだけで良い。すなわち、凹部３３が台座部３２の内周面に沿って複数形成されることにより、所望の位置にカバー部３を配置させることができるため、カバー部３が作業の邪魔になることを防ぐことができる。
【００３１】
尚、本実施形態においては、突設部２３が周方向の２箇所に形成されるものであったが、１箇所に形成されるものであってもよいし、２以上の複数の突設部２３を有するものであってもよい。
また、カバー部３の被覆部３１は、ナイフ部２０を覆うことが可能であれば、コ字状に限らず、例えば、Ｕ字状に形成されるものであってもよい。
【００３２】
以上述べたように、本発明に係る間接活線用先端工具１によれば、カバー部３をナイフ部２０に容易に掛けたり外したりすることができるため、作業の効率化を図ることができる。
【００３３】
また、突設部２３が周方向の２箇所に形成され、かつ、凹部３３がナイフ部２０の刃形成部２０ａ及び峰部２０ｂが設けられる前後方向の２箇所と、この前後方向に対して直角に位置する左右方向の２箇所に形成されることにより、刃形成部２０ａに対して９０°の位置にカバー部３を配置することが可能になる。
【００３４】
さらに、凹部３３は、カバー部３の内周面の全周に亘って形成されることにより、カバー部３を所望の角度に配置することができ、多様な障害物に対して対応することが可能となる。また、電線にカバー部を押し付けることによりカバー部３の配置を変更することも可能となり、作業時間の短縮を図ることができる。
【符号の説明】
【００３５】
１  間接活線用先端工具
２  本体部
２０  ナイフ部
２０ａ  刃形成部
２０ｂ  峰部
２１  支持部
２２  ジョイント部
２３  突設部
３  カバー部
３３  凹部
４  共用操作棒
４１  接続部
５  固定部
【図１】
2018074695.tif 000003
【図２】
2018074695.tif 000004
【図３】
2018074695.tif 000005